(57)【要約】  【課題】  効率よく再着火することができる燃料電池装置を提供する。  【解決手段】  本発明の燃料電池装置は、外部負荷より要求される電力が低下した場合において、燃焼部４５での燃焼が失火したと判断された場合に、燃料電池セル１９に供給する燃料ガスおよび酸素含有ガスの供給量を、低下した外部負荷より要求される電力に応じて設定された供給量よりも少ない量を供給するように、燃料ガス供給装置および酸素含有ガス供給装置を制御し、かつ着火装置を作動させるように制御する制御装置を備えている。【選択図】  図５
2015141752.tif 000002
【特許請求の範囲】
【請求項１】
燃料ガスと酸素含有ガスとで、外部負荷に供給する電力を発電する燃料電池セルと、該燃料電池セルに前記燃料ガスを供給する燃料ガス供給装置と、前記燃料電池セルに前記酸素含有ガスを供給する酸素含有ガス供給装置と、前記燃料電池セルより排出された発電に使用されなかった燃料ガスを燃焼する燃焼部と、前記燃料電池セルより排出された発電に使用されなかった燃料ガスを燃焼させるための着火装置と、前記燃料ガス供給装置、前記酸素含有ガス供給装置および前記着火装置の作動を制御する制御装置とを備え、
該制御装置は、前記外部負荷より要求される電力の変動に応じて、前記燃料ガスおよび前記酸素含有ガスの供給量を変動させるよう前記燃料ガス供給装置および前記酸素含有ガス供給装置を制御するとともに、前記外部負荷より要求される電力が低下した場合において、前記燃焼部での燃焼が失火したと判断された場合に、前記燃料電池セルに供給する前記燃料ガスおよび前記酸素含有ガスの供給量を、低下した前記外部負荷より要求される電力に応じて設定された供給量よりも少ない量を供給するように、前記燃料ガス供給装置および前記酸素含有ガス供給装置を制御し、かつ前記着火装置を作動させるように制御することを特徴とする燃料電池装置。
【請求項２】
前記燃焼部を経由して排出される排ガスを処理するための燃焼触媒と、該燃焼触媒の温度を測定するための温度センサとを備え、前記制御装置は、前記温度センサにより測定された前記燃焼触媒の温度が、第１の設定温度以上となった場合に、前記燃焼部での燃焼が失火したと判断し、前記燃料電池セルに供給する前記燃料ガスおよび前記酸素含有ガスの供給量を、低下した前記外部負荷より要求される電力に応じて設定された供給量よりも少ない量を供給するように、前記燃料ガス供給装置および前記酸素含有ガス供給装置を制御し、かつ前記着火装置を作動させるように制御することを特徴とする請求項１に記載の燃料電池装置。
【請求項３】
前記燃料ガスおよび前記酸素含有ガスの供給量における、前記低下した前記外部負荷より要求される電力に応じて設定された供給量よりも少ない量が最低流量であることを特徴とする請求項２に記載の燃料電池装置。
【請求項４】
前記制御装置は、前記着火装置を作動させてから所定時間経過時に、前記燃焼触媒の温度が、前記第１の設定温度よりも低く、かつ前記第１の設定温度よりも低く設定された第２の設定温度以上の場合に、前記燃料ガス量および前記酸素含有ガス量の最低流量および前記着火装置の作動を継続するように制御することを特徴とする請求項３に記載の燃料電池装置。
【請求項５】
前記制御装置は、前記着火装置を作動させてから所定時間経過後に、前記燃焼触媒の温度が、前記第１の設定温度よりも低く設定された第２の設定温度未満の場合に、前記燃料ガス供給装置および前記酸素含有ガス供給装置からの前記燃料ガス量と前記酸素含有ガス量とを増加させるとともに、前記着火装置の作動を停止するように制御することを特徴とする請求項３に記載の燃料電池装置。
【請求項６】
前記制御装置は、前記燃焼触媒の温度が前記第２の設定温度未満となってからの所定の期間において、前記外部負荷の要求電力が増加した際の発電電力の増加量を、定常運転時と比較して低い値の増加量となるように制御することを特徴とする請求項５に記載の燃料電池装置。
【請求項７】
前記制御装置は、前記所定の期間経過後において、前記外部負荷の要求電力が増加した際の発電電力の増加量を、定常運転時の発電電力の増加量となるように制御することを特徴とする請求項６に記載の燃料電池装置。
【請求項８】
前記制御装置は、前記燃焼触媒の温度が前記第２の設定温度未満となった後に前記温度センサにより測定された温度が、前記第１の設定温度未満でかつ前記第２の設定温度以上となった場合に、前記燃料ガス供給装置および前記酸素含有ガス供給装置からの前記燃料ガスと前記酸素含有ガス量との供給量をさらに増加させるように制御することを特徴とする請求項５に記載の燃料電池装置。
【請求項９】
前記燃料ガス供給装置より供給される前記燃料ガス量を測定するための流量計を備え、前記制御装置は、前記燃焼触媒の温度が前記第２の設定温度未満となった後に前記燃料ガス供給装置および前記酸素含有ガス供給装置からの前記燃料ガス量と前記酸素含有ガス量とを増加させるにあたり、前記燃料ガス供給装置への指示流量値と、前記流量計により測定された流量値とが同じ値を示して所定時間経過後に、前記酸素含有ガスの供給量が増加するように、前記酸素含有ガス供給装置を制御することを特徴とする請求項５に記載の燃料電池装置。
【発明の詳細な説明】
【技術分野】
【０００１】
本発明は、燃料電池装置に関する。
【背景技術】
【０００２】
近年、次世代エネルギーとして、燃料ガス（水素含有ガス）と酸素含有ガス（空気）とを用いて電力を得ることができる燃料電池セルを複数個配列してなるセルスタックが知られている。また、セルスタックを収納容器内に収納してなる燃料電池モジュールや、燃料電池モジュールを外装ケース内に収納してなる燃料電池装置が種々提案されている（例えば、特許文献１参照。）。【０００３】
また、このような燃料電池装置においては、燃料電池セルより排出される排ガスを燃焼させるための着火装置や、燃焼後の燃焼ガスを処理するための燃焼触媒や、この燃焼触媒で処理された後の排ガスの温度を測定する処理済み排ガス温度センサ等を備え、この排ガス処理済み温度センサにより測定された処理済み排ガス温度が所定温度以上となった場合に、着火装置を作動させることが提案されている（例えば、特許文献２参照。）。
【先行技術文献】
【特許文献】
【０００４】
【特許文献１】特開２００７−５９３７７号公報
【特許文献２】特開２０１０−１５３０６４号公報
【発明の概要】
【発明が解決しようとする課題】
【０００５】
ところで、このような燃料電池装置において、外部負荷の要求する電力が低下した場合に、供給される燃料ガス量が低下することに伴って、排ガスを燃焼させるための火が消えてしまう失火を引き起こすおそれがある。【０００６】
ここで、失火が生じると、燃料電池セルの発電で用いられなかった燃料ガスが不完全燃焼となり、それに伴い燃焼触媒での燃焼反応が増大し、燃焼触媒の劣化が生じるおそれがあった。さらには、燃料電池セルの温度が低下し、発電量が不十分となるおそれがあった。従って、失火が生じたと判断された場合には、効率よく再着火することが求められていた。【０００７】
それゆえ、本発明では、燃料電池セルが失火した場合に、効率よく再着火することができる燃料電池装置を提供することを目的とする。
【課題を解決するための手段】
【０００８】
本発明の燃料電池装置は、燃料ガスと酸素含有ガスとで、外部負荷に供給する電力を発電する燃料電池セルと、該燃料電池セルに前記燃料ガスを供給する燃料ガス供給装置と、前記燃料電池セルに前記酸素含有ガスを供給する酸素含有ガス供給装置と、前記燃料電池セルより排出された発電に使用されなかった燃料ガスを燃焼する燃焼部と、前記燃料電池セルより排出された発電に使用されなかった燃料ガスを燃焼させるための着火装置と、前記燃料ガス供給装置、前記酸素含有ガス供給装置および前記着火装置の作動を制御する制御装置とを備え、該制御装置は、前記外部負荷より要求される電力の変動に応じて、前記燃料ガスおよび前記酸素含有ガスの供給量を変動させるよう前記燃料ガス供給装置および前記酸素含有ガス供給装置を制御するとともに、前記外部負荷より要求される電力が低下した場合において、前記燃焼部での燃焼が失火したと判断された場合に、前記燃料電池セルに供給する前記燃料ガスおよび前記酸素含有ガスの供給量を、低下した前記外部負荷より要求される電力に応じて設定された供給量よりも少ない量を供給するように、前記燃料ガス供給装置および前記酸素含有ガス供給装置を制御し、かつ前記着火装置を作動させるように制御することを特徴とする。
【発明の効果】
【０００９】
本発明の燃料電池装置は、燃焼用の火が消えたとしても効率よく再着火することができる。
【図面の簡単な説明】
【００１０】
【図１】本実施形態の燃料電池装置を備える燃料電池システムの構成の一例を示す構成図である。
【図２】図１に示す燃料電池システムを構成する燃料電池モジュールの一例を示す外観斜視図である。
【図３】図２に示す燃料電池モジュールの断面図である。
【図４】本実施形態の燃料電池装置の一例を概略的に示す分解斜視図である。
【図５】本実施形態の燃料電池装置の運転制御の一例の一部を示すフローチャートである。
【図６】図５に示すフローチャートの続きの一例を示すフローチャートである。
【図７】図５に示すフローチャートの続きの他の一例を示すフローチャートである。
【図８】図５に示すフローチャートの続きのさらに他の一例を示すフローチャートである。
【発明を実施するための形態】
【００１１】
図１は、本実施形態の燃料電池装置を備える燃料電池システムの構成の一例を示す構成図である。図１に示す燃料電池システムは、本実施形態の燃料電池装置の一例である発電ユニットと、熱交換後の湯水を貯湯する貯湯ユニットと、これらのユニット間を水が循環するための循環配管とから構成されている。なお、以降の図において同一の構成については同一の符号を用いて説明する。
【００１２】
図１に示す発電ユニットは、燃料極層、固体電解質層、酸素極層を有する固体酸化物形の燃料電池セルを複数個組み合わせてなるセルスタック５、都市ガス等の原燃料を後述する改質器３に供給する燃料ガス供給装置である原燃料供給ポンプ１を有する原燃料供給ライン、セルスタック５を構成する燃料電池セルに酸素含有ガスを供給するための酸素含有ガス供給装置である酸素含有ガス供給ポンプ（ブロワ）２を有する酸素含有ガス供給ライン、原燃料と水蒸気により原燃料を水蒸気改質する改質器３を備えている。原燃料供給ラインには原燃料供給ポンプ１より供給される原燃料の量を測定する原燃料流量計４１が設けられており、また酸素含有ガス供給ラインには、酸素含有ガス供給ポンプ２より供給される酸素含有ガスの量を測定する酸素含有ガス流量計４２が設けられている。
【００１３】
なお、図１に示す発電ユニットでは、セルスタック５と改質器３とを収納容器に収納することで燃料電池モジュール４（以下、モジュールという場合がある。）が構成され、図１においては、二点鎖線により囲って示している。また、セルスタック５から排出される発電に使用されなかった排ガスを排出する排ガスラインには、該排ガスを浄化するための燃焼触媒を備える浄化装置４３が設けられているほか、図１には示していないが、モジュール４内には発電で使用されなかった燃料ガスを燃焼させるための着火装置（着火ヒーター等）が設けられている。
【００１４】
また、図１に示す発電ユニットにおいては、セルスタック５を構成する燃料電池セルの発電に伴って生じた排ガス（排熱）と水とで熱交換を行なう熱交換器８に水を循環させる循環配管１５、熱交換器８で生成された凝縮水を純水に処理するための水処理装置９、水処理装置９にて処理された水（純水）を貯水するための水タンク１１とが設けられており、水タンク１１と熱交換器８との間が凝縮水供給管１０により接続されている。なお、水処理装置９としてはイオン交換樹脂を備えるイオン交換樹脂装置を用いることが好ましい。
【００１５】
水タンク１１に貯水された水は、水タンク１１と改質器３とを接続する水供給管１３に備えられた水ポンプ１２により改質器３に供給される。
【００１６】
さらに図１に示す発電ユニットは、モジュール４にて発電された直流電力を交流電力に変換し、変換された電気の外部負荷への供給量を調整するための供給電力調整部（パワーコンディショナ）６、熱交換器８の出口に設けられ熱交換器８の出口を流れる水（循環水流）の水温を測定するための出口水温センサ１４のほか、後述する各種機器の動作を制御する制御装置７が設けられており、循環配管１５内で水を循環させる循環ポンプ１７とあわせて発電ユニットが構成されている。
【００１７】
なお、制御装置７はマイクロコンピュータを有しており、入出力インターフェイス、ＣＰＵ、ＲＡＭおよびＲＯＭを備えている。なお、ＣＰＵは、燃料電池装置の運転を実施するものであり、ＲＡＭはプログラムの実行に必要な変数を一時的に記憶するものであり、ＲＯＭはプログラムを記憶するものである。
【００１８】
そして、これら発電ユニットを構成する各装置を、外装ケース内に収納することで、設置や持ち運び等が容易な燃料電池装置とすることができる。なお、貯湯ユニットは、熱交換後の湯水を貯湯するための貯湯タンク１６を具備して構成されている。なお、循環ポンプ１７は貯湯ユニット側に設けることもできる。
【００１９】
ここで、図１に示した燃料電池システムの運転方法について説明する。
【００２０】
セルスタック５の発電に必要な燃料ガスを生成するにあたり、制御装置７は原燃料供給ポンプ１、水ポンプ１２を作動させる。それにより、改質器３に原燃料（天然ガス、灯油等）と水とが供給され、改質器３で水蒸気改質を行なうことにより、水素を含む燃料ガスが生成されて燃料電池セルの燃料極層に供給される。
【００２１】
一方、制御装置７は酸素含有ガス供給ポンプ２を動作させることにより、燃料電池セルの酸素極層に酸素含有ガス（空気）を供給する。
【００２２】
なお、制御装置７はモジュール４において着火装置（図示せず）を作動させることにより、セルスタック５の発電に使用されなかった燃料ガスを燃焼させる。それにより、モジュール内の温度（セルスタック５や改質器３の温度）が上昇し、効率よい発電を行なうことができる。
【００２３】
セルスタック５の発電に伴って生じた排ガスは、燃焼触媒を備える浄化装置４３にて浄化された後、熱交換器８に供給され、循環配管１５を流れる水とで熱交換される。熱交換器８での熱交換により生じたお湯は、循環配管１５を流れて貯湯タンク１６に貯水される。一方、熱交換器８での熱交換によりセルスタック５より排出される排ガスに含まれる水が凝縮水となり、凝縮水供給管１０を通じて、水処理装置９に供給される。凝縮水は、水処理装置９にて純水とされて、水タンク１１に供給される。水タンク１１に貯水された水は、水ポンプ１２により水供給管１３を介して改質器３に供給される。このように、凝縮水を有効利用することにより、水自立運転を行なうことができる。
【００２４】
なお、上述の例においては、貯湯ユニットを備える燃料電池システムの構成の一例を示したが、貯湯ユニットを備えていない、いわゆるモノジェネレーションシステムとすることもできる。この場合、凝縮水を生成するにあたり、ラジエターを備えた構成として、ラジエターにより排ガスを冷却することで、凝縮水を生成してもよい。
【００２５】
さらに、上述の例においては、熱交換器８にて生成される凝縮水のみを改質器３に供給する構成の燃料電池装置を用いて説明したが、改質器３に供給する水として水道水を利用することもできる。この場合、水道水に含まれる不純物を処理するための水処理装置として、例えば、活性炭フィルター、逆浸透膜装置、イオン交換樹脂装置等を、この順に接続することで、純水を効率よく精製することができる。なお、水道水を用いる場合においても、水処理装置にて生成した純水が、水タンク１１に貯水されるよう各装置を接続する。
【００２６】
続いて、図１に示すモジュール４の一例について説明する。図２、図３は、本実施形態の燃料電池装置を構成するモジュール４の一例を示し、図２はモジュール４を示す外観斜視図であり、図３は図２に示すモジュール４の断面図である。なお、図２、図３においては、セルスタック５を２つ有するセルスタック装置を用いて説明するが、セルスタック５の数は適宜変更することができ、それに合わせて収納容器の形状も適宜変更すればよい。
【００２７】
図２に示すモジュール４においては、収納容器１８の内部に、内部を燃料ガスが流通するガス流路（図示せず）を有する柱状の燃料電池セル１９を立設させた状態で一列に配列し、隣接する燃料電池セル１９間が集電部材（図示せず）を介して電気的に直列に接続されているとともに、燃料電池セル１９の下端をガラスシール材等の絶縁性接合材（図示せず）でマニホールド２０に固定してなるセルスタック５を２つ備えるセルスタック装置２１を収納して構成されている。なお、セルスタック５の両端部には、セルスタック５（燃料電池セル１９）の発電により生じた電気を集電して外部に引き出すための、電気引き出し部を有する導電部材が配置されている（図示せず）。また、収納容器１８には、モジュール４の温度を測定するための温度計測手段である熱電対２８が設けられている。
【００２８】
また、図２においては、燃料電池セル１９として、内部を燃料ガスが長手方向に流通するガス流路を有する中空平板型で、ガス流路を有する支持体の表面に、燃料極層、固体電解質層および酸素極層を順に積層してなる固体酸化物形の燃料電池セル１９を例示している。なお、燃料電池セル１９においては、内部を酸素含有ガスが長手方向に流通するガス流路を有する形状とすることもでき、この場合、内側より酸素極層、固体電解質層、燃料極層を順に設け、モジュール４の構成は適宜変更すればよい。さらには、燃料電池セルは中空平板型に限られるものではなく、例えば平板型や円筒型とすることもでき、あわせて収納容器１８の形状を適宜変更することが好ましい。
【００２９】
また、図２に示すモジュール４においては、燃料電池セル１９の発電で使用する燃料ガスを得るために、原燃料供給管２５を介して供給される都市ガス等の原燃料を改質して燃料ガスを生成するための改質器３をセルスタック５の上方に配置している。また、改質器３は、効率のよい改質反応である水蒸気改質を行なうことができる構造とすることができ、水を気化させるための気化部２３と、原燃料を燃料ガスに改質するための改質触媒（図示せず）が配置された改質部２２とを備えている。
【００３０】
そして、改質器３で生成された燃料ガス（水素含有ガス）は、燃料ガス流通管２４を介してマニホールド２０に供給され、マニホールド２０より燃料電池セル１９の内部に設けられたガス流路に供給される。なお、セルスタック装置２１の構成は、燃料電池セル１９の種類や形状により、適宜変更することができ、例えばセルスタック装置２１に改質器３を含むこともできる。
【００３１】
また図２においては、収納容器１８の一部（前後面）を取り外し、内部に収納されるセルスタック装置２１を後方に取り出した状態を示している。ここで、図２に示したモジュール４においては、セルスタック装置２１を、収納容器１８内にスライドして収納することが可能である。
【００３２】
なお、収納容器１８の内部には、マニホールド２０に並置されたセルスタック５の間に配置され、酸素含有ガスが燃料電池セル１９の側方を下端部から上端部に向けて流れるように、反応ガス導入部材２６が配置されている。
【００３３】
図３に示すように、モジュール４を構成する収納容器１８は、内壁２９と外壁３０とを有する二重構造で、外壁３０により収納容器１８の外枠が形成されるとともに、内壁２９によりセルスタック装置２１を収納する発電室３１が形成されている。さらに収納容器１８においては、内壁２９と外壁３０との間を、モジュール４の底部より供給され、燃料電池セル１９に導入する酸素含有ガスが流通する反応ガス流路３６としている。なお酸素含有ガスはモジュール４の底部に設けられた酸素含有ガス供給口（図示せず）より供給されて、反応ガス流路３６を流れる。
【００３４】
ここで、収納容器１８内には、収納容器１８の上部より、上端側に酸素含有ガスが流入するための酸素含有ガス流入口（図示せず）とフランジ部３９とを備え、下端部に燃料電池セル１９の下端部に酸素含有ガスを導入するための反応ガス流出口３２が設けられてなる反応ガス導入部材２６が、内壁２９を貫通して挿入されて固定されている。なお、フランジ部３９と内壁２９との間には断熱部材３３が配置されている。
【００３５】
なお、図３においては、反応ガス導入部材２６が、収納容器１８の内部に並置された２つのセルスタック５間に位置するように配置されているが、セルスタック５の数により、適宜配置することができる。例えば、収納容器１８内にセルスタック５を１つだけ収納する場合には、反応ガス導入部材２６を２つ設け、セルスタック５を両側面側から挟み込むように配置することができる。
【００３６】
また、モジュール４においては、燃料電池セル１９の発電に使用されなかった燃料ガス、言い換えれば燃料電池セル１９を通過した燃料ガスを着火させるための着火装置４４が、燃料電池セル１９と改質器３との間に位置するように、収納容器１８の側面より挿入されている。着火装置４４により燃料電池セル１９を通過した燃料ガスを燃焼させることにより、モジュール４内の温度を高温とすることができるほか、燃料電池セル１９、改質器３の温度を高温に維持することができる。なお、この構成において、燃料電池セル１９と改質器３との間が燃焼部４５となり、図３においては破線にて示している。
【００３７】
また発電室３１内には、モジュール４内の熱が極端に放散され、燃料電池セル１９（セルスタック５）の温度が低下して発電量が低減しないよう、モジュール４内の温度を高温に維持するための断熱部材３３が適宜設けられている。
【００３８】
断熱部材３３は、セルスタック５の近傍に配置することが好ましく、特には、燃料電池セル１９の配列方向に沿ってセルスタック５の側面側に配置するとともに、セルスタック５の側面における燃料電池セル１９の配列方向に沿った幅と同等またはそれ以上の幅を有する断熱部材３３を配置することが好ましい。なお、セルスタック５の両側面側に断熱部材３３を配置することが好ましい。それにより、セルスタック５の温度が低下することを効果的に抑制できる。さらには、反応ガス導入部材２６より導入される酸素含有ガスが、セルスタック５の側面側より排出されることを抑制でき、セルスタック５を構成する燃料電池セル１９間の酸素含有ガスの流れを促進することができる。なお、セルスタック５の両側面側に配置された断熱部材３３においては、燃料電池セル１９に供給される酸素含有ガスの流れを調整し、セルスタック５の長手方向および燃料電池セル１９の積層方向における温度分布を低減するための開口部３４が設けられている。なお、複数の断熱部材３３を組み合わせて開口部３４を形成するようにしてもよい。
【００３９】
また、燃料電池セル１９の配列方向に沿った内壁２９の内側には、排ガス用内壁３５が設けられており、内壁２９と排ガス用内壁３５との間が、発電室３１内の排ガスが上方から下方に向けて流れる排ガス流路３７とされている。なお、排ガス流路３７は、収納容器１８の底部に設けられた排気孔４０と通じている。また、排ガス用内壁３５のセルスタック５側にも断熱部材３３が設けられている。
【００４０】
それにより、モジュール４の運転に伴って生じる排ガスは、排ガス流路３７を流れた後、排気孔４０より排気される構成となっている。なお、排気孔４０は収納容器１８の底部の一部を切り欠くようにして形成してもよく、また管状の部材を設けることにより形成してもよい。
【００４１】
ここで、本実施形態の燃料電池装置では、モジュール４と熱交換器８との間に、セルスタック５（モジュール４）より排出される排ガスを浄化するための燃焼触媒を備える浄化装置４３を備えている。それにより、モジュール４から排出される排ガスを浄化し、浄化された排ガスを燃料電池装置の外部に排出することができる。なお、図３においては、この浄化装置４３が排気孔４０内に設けられた例を示しているが、モジュール４と熱交換器８との間に配置されていればよい。なお、浄化装置４３には、燃焼触媒の温度を測定するための温度センサ４６が設けられている。
【００４２】
また、燃焼触媒としては、一般的に知られているような、多孔質の担体に、白金、パラジウム等の貴金属類の他、マンガン、コバルト、銀、銅、ニッケル等を担持させたものを用いることができる。
【００４３】
本実施形態の燃料電池セル１９を、従来知られている中空平板型の燃料電池セルを用いて説明すると、燃料電池セル１９は、一対の対向する平坦面をもつ柱状の導電性支持基板（以下、支持基板と略す場合がある）の一方の平坦面上に燃料極層、固体電解質層及び酸素極層を順次積層してなる柱状（中空平板状）からなる。また、燃料電池セル１９の他方の平坦面上にはインターコネクタが設けられており、インターコネクタの外面（上面）にはＰ型半導体層が設けられている。Ｐ型半導体層を介して、集電部材をインターコネクタに接続させることにより、両者の接触がオーム接触となり、電位降下を少なくし集電性能の低下を有効に回避することが可能となる。また、支持基板は燃料極層を兼ねるものとし、その表面に固体電解質層および酸素極層を順次積層してセルを構成することもできる。
【００４４】
例えば、燃料極層は、一般的に公知のものを使用することができ、多孔質の導電性セラミックス、例えば希土類元素酸化物が固溶しているＺｒＯ２（安定化ジルコニアと称し、部分安定化も含むものとする）とＮｉおよび／またはＮｉＯとから形成することができる。
【００４５】
固体電解質層は、燃料極層、酸素極層間の電子の橋渡しをする電解質としての機能を有していると同時に、燃料ガスと酸素含有ガスとのリークを防止するためにガス遮断性を有することが必要とされ、３〜１５モル％の希土類元素酸化物が固溶したＺｒＯ２から形成される。なお、上記特性を有する限りにおいては、他の材料等を用いて形成してもよい。
【００４６】
酸素極層は、一般的に用いられるものであれば特に制限はなく、例えば、いわゆるＡＢＯ３型のペロブスカイト型酸化物からなる導電性セラミックスから形成することができる。酸素極層はガス透過性を有していることが必要であり、開気孔率が２０％以上、特に３０〜５０％の範囲にあることが好ましい。
【００４７】
支持基板としては、燃料ガスを燃料極層まで透過するためにガス透過性であること、さらには、インターコネクタを介して集電するために導電性であることが要求される。したがって、支持基板としては、導電性セラミックスやサーメット等を用いることができる。燃料電池セル１９を作製するにあたり、燃料極層または固体電解質層との同時焼成により支持基板を作製する場合においては、鉄族金属成分と特定希土類酸化物とから支持基板を形成することが好ましい。また、支持基板は、ガス透過性を備えるために開気孔率が３０％以上、特に３５〜５０％の範囲にあるのが好適であり、そしてまたその導電率は３００Ｓ／ｃｍ以上、特に４４０Ｓ／ｃｍ以上であるのが好ましい。また、支持基板の形状は柱状であれば良く、円筒状であってもよい。
【００４８】
Ｐ型半導体層としては、遷移金属ペロブスカイト型酸化物からなる層を例示することができる。具体的には、インターコネクタを構成する材料よりも電子伝導性が大きいもの、例えば、ＢサイトにＭｎ、Ｆｅ、Ｃｏなどが存在するＬａＭｎＯ３系酸化物、ＬａＦｅＯ３系酸化物、ＬａＣｏＯ３系酸化物などの少なくとも一種からなるＰ型半導体セラミックスを使用することができる。このようなＰ型半導体層の厚みは、一般に、３０〜１００μｍの範囲にあることが好ましい。
【００４９】
インターコネクタは、上述したとおり、ランタンクロマイト系のペロブスカイト型酸化物（ＬａＣｒＯ３系酸化物）、もしくは、ランタンストロンチウムチタン系のペロブスカイト型酸化物（ＬａＳｒＴｉＯ３系酸化物）が好適に使用される。これらの材料は、導電性を有し、かつ燃料ガス（水素含有ガス）および酸素含有ガス（空気等）と接触しても還元も酸化もされない。また、インターコネクタは支持基板に形成されたガス流路を流通する燃料ガス、および支持基板の外側を流通する酸素含有ガスのリークを防止するために緻密質でなければならず、９３％以上、特に９５％以上の相対密度を有していることが好ましい。
【００５０】
図４は、外装ケース内に図２で示したモジュール４と、モジュール４を動作させるための補機（図示せず）とを収納してなる本実施形態の燃料電池装置の一例を示す分解斜視図である。なお、図４においては一部構成を省略して示している。
【００５１】
図４に示す燃料電池装置４７は、支柱４８と外装板４９から構成される外装ケース内を仕切板５０により上下に区画し、その上方側を上述したモジュール４を収納するモジュール収納室５１とし、下方側をモジュール４を動作させるための補機を収納する補機収納室５２として構成されている。なお、補機収納室５２に収納する補機を省略して示している。
【００５２】
また、仕切板５０には、補機収納室５２の空気をモジュール収納室５１側に流すための空気流通口５３が設けられており、モジュール収納室５１を構成する外装板４９の一部に、モジュール収納室５１内の空気を排気するための排気口５４が設けられている。
【００５３】
ところで、このような燃料電池装置においては、発電効率が高いことが求められている。それゆえ、制御装置７は、外部負荷より要求される電力（以下、単に外部負荷という場合がある。）の変動に応じて、燃料電池セル１９の発電に必要な燃料ガスおよび酸素含有ガスの供給量を変動すべく、原燃料供給ポンプ１および酸素含有ガス供給ポンプ２の動作を制御する。すなわち部分負荷追従運転を行なう。
【００５４】
従って、例えば外部負荷の要求が低減した場合に、制御装置７は、原燃料供給ポンプ１および酸素含有ガス供給ポンプ２より供給される燃料ガスおよび酸素含有ガスを、低下した外部負荷に応じて設定された供給量となるよう、供給量を低減するよう制御する。しかしながら、この場合において、燃料電池セル１９より排出される燃料ガスの量が低減し、それに伴って、燃焼部４５での燃焼が失火する場合がある。
【００５５】
ここで、燃焼部４５で失火が生じると、燃料電池セル１９の発電で用いられなかった燃料ガスが不完全燃焼となり、それに伴い燃焼触媒での燃焼反応が増大し、燃焼触媒の劣化が生じるおそれや、燃料電池セル１９の温度が低下し、発電量が不十分となるおそれがある。それゆえ、失火が生じたと判断された場合には、効率よく再着火できることが求められている。
【００５６】
そこで、本実施形態の燃料電池装置は、制御装置７が、外部負荷より要求される電力が低下した場合において、燃焼部４５での燃焼が失火したと判断された場合に、燃料電池セル１９に供給する燃料ガスおよび酸素含有ガスの量を、低下した外部負荷より要求される電力に応じて設定された供給量よりも少ない量を供給するように、燃料ガス供給装置および酸素含有ガス供給装置を制御する。それにより、燃焼部４５において効率よく再着火することができる。
【００５７】
なお、燃焼部４５での燃焼が失火したと判断するにあたっては、例えば、燃焼触媒の温度を測定するための温度センサ４６により測定された温度に基づいて判断するほか、燃焼部４５に温度センサを設け該温度センサにより測定された温度に基づいて判断する、モジュール４の温度を測定するための温度計測手段である熱電対２８により測定されたモジュール４内の温度に基づいて判断する等、燃料電池装置の構成に基づいて適宜採用することができる。なお、以下の説明においては、燃焼触媒の温度を測定するための温度センサ４６により測定された温度に基づいて判断する例を用いて説明する。
【００５８】
また、燃料電池セル１９に供給する燃料ガスおよび酸素含有ガスの供給量を、低下した外部負荷より要求される電力に応じて設定された供給量よりも少ない量を供給するにあたっては、低下した外部負荷より要求される電力に応じて設定された供給量よりも少ない量であれば特に制限はないが、例えば、モジュール４内の温度を、発電を直ちに行なうことができる最低温度に保持するための最低流量とすることができる。以下の説明においては、最低流量とする例を用いて説明する。
【００５９】
図５は、本実施形態のモジュール４（燃料電池装置）の運転制御の一例を示すフローチャートである。以下、図に示すフローチャートに基づいて、運転制御について説明する。
【００６０】
まず、制御装置７は、ステップＳ１において、外部負荷が低下したかどうかを判別する。外部負荷が低下していない場合には、ステップＳ２に進み、運転状態を維持する。なお、外部負荷の低下については、例えばこのフローチャートをスタートする前の外部負荷に対して、５０％以上低下した場合等、適宜設定することができる。なお外部負荷については、供給電力調整部６での値に基づいて判別すればよい。
【００６１】
外部負荷が低下したと判断された場合には、ステップＳ３に進み、温度センサ４６により測定された燃焼触媒の温度が第１の設定温度以上かどうかを判別する。なお、第１の設定温度については、燃焼触媒の種類に応じて適宜設定することができ、例えば多孔質の担体に白金が担持した燃焼触媒の場合、３００〜４００℃の間で適宜設定することができる。
【００６２】
ここで、燃焼触媒の温度が第１の設定温度未満の場合には、失火が生じていないと判断することができ、ステップＳ４に進んで運転状態を維持する。
【００６３】
一方で、燃焼触媒の温度が第１の設定温度以上の場合には、失火が生じたと判断し、再着火のステップであるステップＳ５に進む。
【００６４】
ステップＳ５では、制御装置７は、燃料ガス量および酸素含有ガス量が最低流量となるように、原燃料供給ポンプ１および酸素含有ガス供給ポンプ２の動作を制御する。あわせて、制御装置７は、着火装置４４を作動させる。
【００６５】
ここで、燃焼触媒の温度が第１の設定温度以上の場合とは、言い換えれば燃焼部４５にて燃焼していない排ガス量が多いことを意味する。この場合に、単に着火装置４４を作動しても、理由は不明ではあるが、着火がうまくいかない場合がある。
【００６６】
そこで、上記ステップＳ５においては、制御装置７が、燃料ガス量および酸素含有ガス量が最低流量となるように、原燃料供給ポンプ１および酸素含有ガス供給ポンプ２の動作を制御する。それにより、燃焼していない排ガス量を低減でき、燃焼触媒の温度上昇を抑えることで、燃焼触媒の劣化を抑制できるほか、着火装置４４での着火が容易となる。
【００６７】
続いて、ステップＳ６に進み、着火装置４４を作動させてから所定時間Ｔ１が経過したかどうかを判別する。なお、所定時間Ｔ１は１〜１０分の間で適宜設定することができる。
【００６８】
所定時間Ｔ１が経過していないと判別された場合は、ステップＳ７を介してステップＳ６に戻り、燃料ガス量および酸素含有ガス量の最低流量を継続するとともに、着火装置４４の作動を継続する。
【００６９】
一方、所定時間Ｔ１が経過したと判別された場合には、続いてステップＳ８に進み、燃焼触媒の温度が、第１の設定温度よりも低く、かつ第１の設定温度よりも低く設定された第２の設定温度以上かどうかを判別する。なお、第２の設定温度についても、上述と同様に燃焼触媒の種類に応じて適宜設定することができるが、例えば第１の設定温度を３００〜４００℃の間で設定した場合には、第２の設定温度を２００〜３００℃の間で設定することができる。
【００７０】
ここで、燃焼触媒の温度が、第２の設定温度以上の場合には、失火が継続していると判別して、燃料ガス量および酸素含有ガス量を最低流量に維持し、かつ着火装置４４を作動させる制御を維持したまま、続いてステップＳ９に進み、所定時間Ｔ２が経過したかどうかを判別する。なお、所定時間Ｔ２は１〜１０分の間で適宜設定することができ、ステップＳ８に進んでからの時間とすればよい。
【００７１】
ステップＳ９において、所定時間Ｔ２が経過していない場合には、ステップＳ２９を介してステップＳ９に戻り、再度所定時間Ｔ２が経過したかどうかを判別する。
【００７２】
一方、ステップＳ９において、所定時間Ｔ２が経過した場合には、着火装置４４等に異常が生じている可能性があることから、続いてステップＳ３０に進み、燃料電池装置の運転を停止する。
【００７３】
一方、燃焼触媒の温度が、第２の設定温度未満の場合には、失火が回復したと判別してステップＳ１０に進み、上述の燃料ガス量および酸素含有ガス量が最低流量となるように、原燃料供給ポンプ１および酸素含有ガス供給ポンプ２の動作を制御していた制御を解除する、言い換えれば燃料ガス量および酸素含有ガス量が外部負荷に応じた供給量となるよう、それぞれを増加するように原燃料供給ポンプ１および酸素含有ガス供給ポンプ２の動作を制御する。あわせて、着火装置４４の作動を停止する。以上の制御を行なうことにより、効率よく再着火することができる。なお、着火装置４４の作動を停止するにあたっては、燃料ガス量および酸素含有ガス量を増加させてから、１〜１０分後とすることができる。そして、続いてステップＳ３１に進んで運転状態を維持し、さらにステップＳ３２に進んで、本フローチャートの制御を終了する。
【００７４】
ところで、ステップＳ１０において、燃料ガス量および酸素含有ガス量が増加するように原燃料供給ポンプ１および酸素含有ガス供給ポンプ２の動作を制御するとともに、着火装置４４の作動を停止した後は、外部負荷が要求する電流を、定格の範囲内で発電可能な状態に戻ることとなる。しかしながら、この場合に、燃料ガス量および酸素含有ガス量が急激に増加すると再び失火するおそれがある。
【００７５】
それゆえ、例えば図６に示すフローチャートのように、ステップＳ１０の次に、ステップＳ１１に進むことができる。なお、常時、ステップＳ１０の次に、ステップＳ１１に進むこともできる。ステップＳ１１では、制御装置７が、部分負荷追従特性を定常運転時より低減させる低減モードをスタートする。
【００７６】
ここで、外部負荷が増加する場合に、瞬間的にその外部負荷の要求電力を発電することは難しいため、あらかじめ定常運転時において、外部負荷が増加した際の発電電力の増加量を定めていることが好ましい。しかしながら、この定常運転時の発電電力の増加量で増加すると、その増加量が大きく、ひいては燃料ガス量および酸素含有ガス量の増加量も大きいため、再び失火するおそれがある。
【００７７】
それゆえ、ステップＳ１１では、この外部負荷が増加した際の発電電力の増加量を、定常運転時より低減させる低減モードをスタートする。それにより、発電電力の増加量が小さくなり、ひいては、燃料ガス量および酸素含有ガス量の増加量も小さいため、再び失火するおそれを抑制することができる。なお、この低減モードにおける発電電力の増加量は、定常運転時の発電電力の増加量に対して５０〜７０％の範囲で適宜設定することができる。
【００７８】
一方、外部負荷が増加した際の発電電力の増加量が小さくなると、外部負荷の要求電力に追いつかないため、負荷に追従できない不足分を系統電源より購入する必要があるため、利用者のランニングコストが増加するおそれがある。
【００７９】
そこで、ステップＳ１２に進んで、燃焼触媒が第２の設定温度未満となってから（言い換えれば低減モードを開始してから）所定の期間が経過したかどうかを判定する。もし、この期間を超えていない場合では、ステップＳ１３を介してステップＳ１２に戻ることとなる。なお、この期間は、例えば、低減モードを開始してから１〜１０分とすることができる。
【００８０】
一方で、燃焼触媒が第２の設定温度未満となってから所定の期間が経過した場合には、続いてステップＳ１４に進み、低減モードを解除し、発電電力の増加量を定常運転時の増加量となるように制御し、続いてステップＳ１５に進んで、本フローチャートの制御を終了する。
【００８１】
それにより、外部負荷の要求電力に追従できることから、利用者のランニングコストが増加することを抑制することができる。
【００８２】
一方、燃料電池セル１９が劣化した場合に、発電量が低下し、燃料電池セル１９より排出される排ガス量が増加する場合がある。この場合に、燃焼部４５にてすべての燃料ガスを燃焼させることができずに、燃焼触媒での燃焼反応が増加し、燃焼触媒の温度が上昇する場合がある。
【００８３】
そこで、ステップＳ１０の次に、図７に示すフローチャートのように、ステップＳ１６に進むこともできる。
【００８４】
ステップＳ１６においては、温度センサ４６にて計測された燃焼触媒の温度が、第２の設定温度未満であるかを確認する。燃焼触媒の温度が、第２の設定温度未満である場合には、燃料電池セル１９に劣化が生じていないと判断し、ステップＳ１８に進んで運転状態を維持する。
【００８５】
一方で、温度センサ４６にて測定された温度が、第２の設定温度以上である場合には、燃料電池セル１９に劣化が生じていると判断し、続いてステップＳ１７に進む。
【００８６】
ステップＳ１７においては、温度センサ４６にて計測された燃焼触媒の温度が、第１の設定温度未満であるかを確認する。第１の設定温度以上の場合には、燃料電池セルの劣化度合いが大きいと判断し、ステップＳ３３に進んで燃料電池装置の運転を停止する。
【００８７】
一方、ステップＳ１７において、温度センサ４６にて測定された燃焼触媒の温度が、第１の設定温度未満の場合には、燃料電池装置の運転を継続できる範囲で、燃料電池セル１９に劣化が生じていると判断する。
【００８８】
この場合において、燃料電池セル１９の劣化前と劣化後とで同じ発電量を得るためには、必要となる燃料ガス量が多くなる。それゆえ、ステップＳ１７において、温度センサ４６にて測定された温度が、第１の設定温度未満の場合には、燃料ガスと酸素含有ガスとの供給量を増加するように、燃料供給ポンプ１および酸素含有ガス供給ポンプ２の動作を制御し、続いてステップＳ２０に進んで、本フローチャートの制御を終了する。
【００８９】
ここで、常時、ステップＳ１０の次に、ステップＳ１６に進むこともできる。また、始めは図５に示すフローチャートに基づいて制御させ、燃料電池セルに劣化が生じている可能性が高まった時期等に、図５に示すフローチャートのステップＳ１０のあとに、図７に示すフローチャートのステップＳ１６に進む制御をさせるようにしてもよい。この場合、ステップＳ１０とステップＳ１６との間に、例えば、燃料電池装置を作動してから２年〜５年経過後（適宜設定可能）か否かを判断するステップや、例えば１月間で３回以上失火が生じたか否かを判断するステップ、失火が累計で１０回以上となったか否かを判断するステップ等を設けて、いずれのステップにおいても該当する場合に、ステップＳ１６に進むように制御してもよい。なお、燃料電池装置の稼働期間や失火の回数等は、制御装置７に記憶させておけばよい。
【００９０】
また、ステップＳ１０にて、燃料ガス量を増加するにあたり、制御装置７が原燃料供給ポンプ１に供給するように指示した指示流量よりも、原燃料流量計４１が測定した流量が少ない場合がある。これは、原燃料供給ポンプ１の劣化等により生じる不具合であり、制御装置７が指示した燃料ガス量よりも少ない量が燃料電池セル１９に提供されていることとなる。それゆえ、この差が大きいと、再度失火が生じるおそれがあるほか、目的とする発電量が得られないおそれがある。
【００９１】
そこで、ステップＳ１０の次に、図８に示すフローチャートのように、ステップＳ２１に進むことができる。ステップＳ２１では、制御装置７が原燃料供給ポンプ１に指示した指示流量と、原燃料流量計４１により測定された流量を比較する。
【００９２】
次にステップＳ２２において、指示流量と流量計の値が同じ値を所定時間経過したかどうかを判別する。ここで、指示流量と流量計の値が同じ値とは、指示流量の値に対して、流量計の値が±１０％の範囲に入っていることを意味する。また所定時間とは、１〜１０分の間で適宜設定することができる。
【００９３】
ステップＳ２２にて、指示流量と流量計の値が同じ値を所定時間経過した場合には、原燃料供給ポンプ１に劣化等が生じていないと判断することができ、所定の燃料ガス量を供給可能であることから、次にステップＳ２７に進んで、制御装置７は、酸素含有ガス供給量を増加するように、酸素含有ガス供給ポンプ２を制御する。
【００９４】
一方で、ステップＳ２２にて、指示流量と流量計の値が同じ値を所定時間経過しない場合には、ステップＳ２４に進み、原燃料供給ポンプ１に対して、流量計の値が、本来燃料電池セル１９に供給したいとして設定していた流量（言い換えれば当初の指示流量、以降の説明において目的量という。）となるように、燃料ガス供給装置１に対して、燃料ガスの供給量を増大もしくは減少するように制御する。
【００９５】
次にステップＳ２５に進み、目的量と流量計の値が同じ値を所定時間経過したかどうかを判別する。ここで、目的量と流量計の値が同じ値とは、目的量の値に対して、流量計の値が±１０％の範囲に入っていることを意味する。また所定時間とは、１〜１０分の間で適宜設定することができる。
【００９６】
ここで、目的量と流量計の値が同じ値を所定時間経過しない場合には、ステップＳ２６を介してステップＳ２４に戻り、再度、原燃料供給ポンプ１に対して目的量となるように、燃料ガス供給装置１に対して、燃料ガスの供給量を増大もしくは減少するように制御する。
【００９７】
一方で、目的量と流量計の値が同じ値を所定時間経過した場合には、ステップＳ２７に進み、制御装置７は、酸素含有ガス供給量を増加するように、酸素含有ガス供給ポンプ２を制御し、続いてステップＳ２８に進んで、本フローチャートの制御を終了する。
【００９８】
ここで、常時、ステップＳ１０の次に、ステップＳ２１に進むこともできる。また、始めは図５に示すフローチャートに基づいて制御させ、原燃料供給ポンプ１の劣化が生じている可能性が高まった時期に、図５に示すフローチャートのステップＳ１０のあとに、図８に示すフローチャートのステップＳ２１に進む制御をさせるようにしてもよい。この場合、ステップＳ１０とステップＳ２１との間に、例えば燃料電池装置を作動してから２年〜５年経過後（適宜設定可能）か否かを判断するステップを設けて該当する場合に、ステップＳ２１に進むように制御してもよい。なお、燃料電池装置の稼働期間は、制御装置７に記憶させておけばよい。
【００９９】
このような制御を実施することにより、効率よく失火を抑制することができ、かつ発電量が低下することを抑制することができる。
【０１００】
以上、本発明について詳細に説明したが、本発明は上述の実施の形態に限定されるものではなく、本発明の要旨を逸脱しない範囲内において、種々の変更、改良等が可能である。
【０１０１】
例えば、上述の説明において、燃焼触媒の温度を測定するための温度センサ４６により測定された温度に基づいて、燃焼部４５での失火を判断する例を用いて説明したが、例えば、燃焼部４５に設けた温度センサにより測定された温度に基づいて判断することもできる。この場合、失火の判定基準温度Ｄ１を４００〜５５０℃の間で適宜設定し、燃焼部４５に設けた温度センサにより測定された温度がＤ１を下回った場合に、失火が生じたと判断すればよい。一方、再着火したと判断するにあたっては、失火の判定基準温度Ｄ１＋５０℃とすればよい。
【０１０２】
従って、図５に示したフローチャートにおいては、「燃焼触媒の温度が第１の設定温度以上か？」を「燃焼部の温度がＤ１未満か？」と置き換えればよく、また「燃焼触媒の温度が第２の設定温度以上か？」を「燃焼部の温度がＤ１＋５０℃未満か？」と置き換えればよい。
【０１０３】
同様に、例えば、燃焼部４５での失火を判断するにあたり、熱電対２８により測定されたモジュール４内の温度に基づいて判断することもできる。この場合、失火の判定基準温度Ｄ２を５００〜６００℃の間で適宜設定し、熱電対２８により測定された温度がＤ２を下回った場合に、失火が生じたと判断すればよい。一方、再着火したと判断するにあたっては、失火の判定基準温度Ｄ２＋２０℃とすればよい。
【０１０４】
従って、図５に示したフローチャートにおいては、「燃焼触媒の温度が第１の設定温度以上か？」を「熱電対２８にて測定された温度がＤ２未満か？」と置き換えればよく、また「燃焼触媒の温度が第２の設定温度以上か？」を「熱電対２８にて測定された温度がＤ２＋２０℃未満か？」と置き換えればよい。
【０１０５】
また、図６に示したフローチャートを実行するにあたり、ステップＳ１０とステップＳ１１との間に、図７や図８に示したフローチャートを参照して、燃料電池セルの劣化や原燃料供給ポンプの劣化を判定するフローを加えてもよい。例えば、燃料電池セルの劣化が生じていると判断された場合には、部分負荷追従特性を定常運転時より低減させる低減モードにおける燃料ガス量および酸素含有ガス量を、燃料電池セルの劣化が生じていないと判断される時よりも多く供給することが好ましい。
【０１０６】
また、原燃料供給ポンプが劣化していると判断された場合には、燃料ガス量の目的量と流量計の値が同じ値となったことを確認してから、酸素含有ガス量を増加させて、低減モードをスタートすればよい。
【０１０７】
また、図８のフローチャートにおいて、Ｓ２４からＳ２６のステップを数回繰り返したとき等に、燃料電池装置に異常が生じているとして、燃料電池装置の作動を停止することもできる。
【０１０８】
さらに、上述の例ではいわゆる中空平板型と呼ばれる燃料電池セル１９を用いて説明したが、一般に横縞型と呼ばれる複数の発電素子部を支持体上に設けてなる横縞型の燃料電池セルを用いることもできる。
【符号の説明】
【０１０９】
１：原燃料供給ポンプ
２：酸素含有ガス供給ポンプ
３：改質器
４：燃料電池モジュール
７：制御装置
１９：燃料電池セル
４３：浄化装置
４４：着火装置
４６：温度センサ
【図１】
2015141752.tif 000003
【図２】
2015141752.tif 000004
【図３】
2015141752.tif 000005
【図４】
2015141752.tif 000006
【図５】
2015141752.tif 000007
【図６】
2015141752.tif 000008
【図７】
2015141752.tif 000009
【図８】
2015141752.tif 000010
【国際調査報告】
2015141752.tif 000011
2015141752.tif 000012
2015141752.tif 000013